(57)【要約】【課題】吐出された液体により媒体が膨潤するのを効果的に抑制し、ヘッドと媒体との接触を防止する。【解決手段】「こすれ回避設定」として「こすれ回避強」が選択されると、用紙Ｐの余白量を拡大して（Ｓ３９０）、印刷を実行する。これにより、余白量の拡大によってインクが吐出された用紙Ｐが膨潤するのを抑制することができ、用紙Ｐと印刷ヘッド５５との接触（用紙こすれ）をより確実に防止することができる。【選択図】図１２
2014188930.tif 000002
【特許請求の範囲】
【請求項１】
ヘッドから媒体に液体を吐出することにより該媒体に画像を印刷する印刷機構を制御する印刷制御装置であって、
前記ヘッドと前記媒体との接触を防止するために、前記媒体の余白量を拡大して印刷を実行するように前記印刷機構を制御する
ことを特徴とする印刷制御装置。
【請求項２】
前記ヘッドと前記媒体との間隔を調整する間隔調整手段を備える印刷機構を制御する請求項１記載の印刷制御装置であって、
前記媒体の余白量を拡大して印刷する場合には、前記余白量を拡大せずに印刷を実行する場合に比して、前記ヘッドと前記媒体との間隔が広がるように前記間隔調整手段を制御する
ことを特徴する印刷制御装置。
【請求項３】
前記媒体に余白が生じないよう印刷を実行する縁なし印刷が可能な前記印刷機構を制御する請求項１または２記載の印刷制御装置であって、
印刷の実行に先立って、前記ヘッドと前記媒体との接触を防止するために、前記媒体の余白量を拡大して印刷を実行するか否かを選択する余白拡大印刷選択手段と、
印刷の実行に先立って、前記縁なし印刷を実行するか否か選択する縁なし印刷選択手段とを備え、
前記縁なし印刷選択手段は、前記余白拡大印刷選択手段により前記媒体の余白量を拡大して印刷することが選択されると、前記縁なし印刷を実行することが選択できないように構成される
ことを特徴とする印刷制御装置。
【請求項４】
請求項１ないし３いずれか１項に記載の印刷制御装置であって、
前記余白量を拡大して印刷を実行する場合には、前記余白量を拡大せずに印刷を実行する場合に比して、前記媒体に対する単位面積当たりの液体の吐出量が少なくなるように前記印刷機構を制御する
ことを特徴とする印刷制御装置。
【請求項５】
前記ヘッドを往復動させる移動手段を備え、往動時と復動時の一方のみで前記ヘッドから液体を吐出して印刷を行なう単方向印刷のモードと、往動時と復動時との双方で前記ヘッドから液体を吐出して印刷を実行する双方向印刷のモードとにより印刷を実行するように前記印刷機構を制御する請求項１ないし４いずれか１項に記載の印刷制御装置であって、
前記余白量を拡大して印刷を実行する場合には、前記単方向印刷のモードにより印刷が実行されるよう前記印刷機構を制御する
ことを特徴とする印刷制御装置。
【請求項６】
ユーザー選択により余白量を設定する余白量設定手段を備える印刷制御装置による制御に基づいて、媒体に液体を吐出することにより該媒体に画像の印刷を実行する印刷装置であって、
液体を吐出するヘッドと、
前記ヘッドと前記媒体との間隔を調整する間隔調整手段と、
前記間隔調整手段により前記ヘッドと前記媒体との間隔を第１の間隔とし、前記余白量設定手段により設定された余白量に基づき印刷を実行する第１の印刷モードと、前記間隔調整手段により前記ヘッドと前記媒体との間隔を前記第１の間隔よりも広い第２の間隔とし、前記余白量設定手段により設定された余白量よりも拡大した余白量に基づき印刷を実行する第２の印刷モードとを含む複数の印刷モードのいずれかを選択し、該選択した印刷モードにより印刷が実行されるように前記ヘッドと前記間隔調整手段とを制御する制御手段と、
を備えることを特徴とする印刷装置。
【請求項７】
ヘッドから媒体に液体を吐出することにより該媒体に画像を印刷する印刷方法であって、
前記ヘッドと前記媒体との接触を防止するために、前記媒体の余白量を拡大して印刷を実行する
ことを特徴とする印刷方法。
【請求項８】
ヘッドから媒体に液体を吐出することにより該媒体に画像を印刷する印刷方法であって、
ユーザー選択により余白量を設定し、
前記ヘッドと前記媒体との間隔を第１の間隔とすると共に前記設定した余白量に基づき印刷を実行する第１の印刷モードと、前記ヘッドと前記媒体との間隔を前記第１の間隔よりも広い第２の間隔とすると共に前記設定した余白量よりも拡大した余白量に基づき印刷を実行する第２の印刷モードとを含む複数の印刷モードのいずれかを選択し、
該選択した印刷モードにより印刷を実行する
ことを特徴とする印刷方法。
【発明の詳細な説明】
【技術分野】
【０００１】
本発明は、ヘッドから媒体に液体を吐出することにより該媒体に画像を印刷する印刷機構を制御する印刷制御装置および印刷装置ならびに印刷方法に関する。
【背景技術】
【０００２】
従来、この種の印刷制御装置としては、用紙の縦方向と横方向の寸法を検知するセンサーを備え、用紙の載置方向が搬送方向に対して横向きと検知された場合には、縦向きと検知された場合に比して、記録ヘッドと用紙との間隔（プラテンギャップ）を広くするものが提案されている（例えば、特許文献１参照）。この装置では、プラテンギャップを広くすることにより、用紙と記録ヘッドとが接触しないようにし、用紙の記録面の汚れを防止することができるとしている。
【先行技術文献】
【特許文献】
【０００３】
【特許文献１】特開２００７−３３１２９７号公報
【発明の概要】
【発明が解決しようとする課題】
【０００４】
しかしながら、上述の装置では、記録ヘッドと用紙との接触を十分に防止することができない場合がある。例えば、用紙全面にインクを吐出して印刷する場合など、用紙に対して印刷する領域が広いと、吐出されたインクにより用紙が大きく膨潤して、用紙の変形が大きくなるため、記録ヘッドと用紙との間隔を広くとっても、記録ヘッドと用紙との接触を十分に防止できない場合がある。
【０００５】
本発明の印刷制御装置および印刷装置ならびに印刷方法は、吐出された液体により媒体が膨潤するのを効果的に抑制し、ヘッドと媒体との接触をより確実に防止することを主目的とする。
【０００６】
本発明の印刷制御装置および印刷装置ならびに印刷方法は、上述の主目的を達成するために以下の手段を採った。
【課題を解決するための手段】
【０００７】
本発明の印刷制御装置は、
ヘッドから媒体に液体を吐出することにより該媒体に画像を印刷する印刷機構を制御する印刷制御装置であって、
前記ヘッドと前記媒体との接触を防止するために、前記媒体の余白量を拡大して印刷を実行するように前記印刷機構を制御する
ことを要旨とする。
【０００８】
この本発明の印刷制御装置では、ヘッドと媒体との接触を防止するために媒体の余白量を拡大して印刷を実行するように印刷機構を制御する。これにより、吐出された液体により媒体が膨潤するのを効果的に抑制することができ、ヘッドと媒体との接触を防止することができる。
【０００９】
前記ヘッドと前記媒体との間隔を調整する間隔調整手段を備える印刷機構を制御する本発明の印刷制御装置において、前記媒体の余白量を拡大して印刷する場合には、前記余白量を拡大せずに印刷を実行する場合に比して、前記ヘッドと前記媒体との間隔が広がるように前記間隔調整手段を制御するものとすることもできる。こうすれば、媒体の余白量の拡大と併せてヘッドと媒体との間隔を広げることにより、ヘッドと媒体との接触をより確実に防止することができる。
【００１０】
また、前記媒体に余白が生じないよう印刷を実行する縁なし印刷が可能な前記印刷機構を制御する本発明の印刷制御装置において、印刷の実行に先立って、前記ヘッドと前記媒体との接触を防止するために、前記媒体の余白量を拡大して印刷を実行するか否かを選択する余白拡大印刷選択手段と、印刷の実行に先立って、前記縁なし印刷を実行するか否か選択する縁なし印刷選択手段とを備え、前記縁なし印刷選択手段は、前記余白拡大印刷選択手段により前記媒体の余白量を拡大して印刷することが選択されると、前記縁なし印刷を実行することが選択できないように構成されるものとすることもできる。こうすれば、縁なし印刷の実行を選択できる場合には、媒体の余白量を拡大して印刷が実行されることがないため、ユーザーが予期しない印刷結果が生じるのを防止することができる。
【００１１】
さらに、本発明の印刷制御装置において、前記余白量を拡大して印刷を実行する場合には、前記余白量を拡大せずに印刷を実行する場合に比して、前記媒体に対する単位面積当たりの液体の吐出量が少なくなるように前記印刷機構を制御するものとすることもできる。こうすれば、吐出された液体により媒体が膨潤する量を少なくすることができ、ヘッドと媒体との接触をより確実に防止することができる。
【００１２】
また、前記ヘッドを往復動させる移動手段を備え、往動時と復動時の一方のみで前記ヘッドから液体を吐出して印刷を行なう単方向印刷のモードと、往動時と復動時との双方で前記ヘッドから液体を吐出して印刷を実行する双方向印刷のモードとにより印刷を実行するように前記印刷機構を制御する態様の本発明の印刷制御装置において、前記余白量を拡大して印刷を実行する場合には、前記単方向印刷のモードにより印刷が実行されるよう前記印刷機構を制御するものとすることもできる。単方向印刷は双方向印刷よりも良好な印刷画質が得られると考えられることから、吐出された液体により媒体が膨潤するおそれがある場合に単方向印刷を用いることにより、印刷画質の劣化を低減することができる。
【００１３】
また、本発明の印刷制御装置において、ユーザー操作に基づいて余白量を設定する余白量設定手段と、前記余白量を拡大して印刷を実行する場合、その旨をユーザーに報知する報知手段とを備えるものとすることもできる。こうすれば、ユーザーが設定した余白量で印刷がなされないことを事前に知ることができるから、予期しない印刷結果が生じるのを防止することができる。
【００１４】
また、本発明の印刷制御装置において、前記余白量を拡大して印刷する場合、複数のパラメーターに基づいて前記余白量の拡大量を設定する余白拡大量設定手段を備えるものとすることもできる。こうすれば、複数のパラメーターに基づき余白の拡大量を適正化させることができる。
【００１５】
また、本発明の印刷制御装置において、ユーザー選択に基づいて前記余白量を拡大して印刷するか否かを選択する余白拡大印刷選択手段を備え、前記余白拡大印刷選択手段は、前記余白量を拡大せずに印刷を実行することが選択されてなるものとすることがデフォルトの設定であるとすることもできる。こうすれば、通常では媒体の余白量を拡大せずに印刷を実行することができ、必要が生じた場合に媒体の余白量を拡大して印刷を実行することができる。
【００１６】
本発明の印刷装置は、
ユーザー選択により余白量を設定する余白量設定手段を備える印刷制御装置による制御に基づいて、媒体に液体を吐出することにより該媒体に画像の印刷を実行する印刷装置であって、
液体を吐出するヘッドと、
前記ヘッドと前記媒体との間隔を調整する間隔調整手段と、
前記間隔調整手段により前記ヘッドと前記媒体との間隔を第１の間隔とし、前記余白量設定手段により設定された余白量に基づき印刷を実行する第１の印刷モードと、前記間隔調整手段により前記ヘッドと前記媒体との間隔を前記第１の間隔よりも広い第２の間隔とし、前記余白量設定手段により設定された余白量よりも拡大した余白量に基づき印刷を実行する第２の印刷モードとを含む複数の印刷モードのいずれかを選択し、該選択した印刷モードにより印刷が実行されるように前記ヘッドと前記間隔調整手段とを制御する制御手段と、
を備えることを要旨とする。
【００１７】
この本発明の印刷装置では、ユーザー選択により余白量を設定し、ヘッドと媒体との間隔を第１の間隔とすると共に設定された余白量に基づき印刷を実行する第１の印刷モードと、ヘッドと媒体との間隔を第１の間隔よりも広い第２の間隔とすると共に設定された余白量よりも拡大した余白量に基づき印刷を実行する第２の印刷モードとを含む複数の印刷モードのいずれかを選択し、選択した印刷モードにより印刷が実行されるようにヘッドとヘッドと媒体との間隔を調整する間隔調整手段とを制御する。これにより、第１の印刷モードと第２の印刷モードを含む複数の印刷モードを選択して実行することにより、余白量を適正化して、吐出された液体により媒体が膨潤するのを抑制することができる。この結果、ヘッドと媒体との接触を防止することができる。特に、第２の印刷モードでは、媒体の余白量の拡大と併せてヘッドと媒体との間隔を広げることにより、ヘッドと媒体との接触をより確実に防止することができる。
【００１８】
本発明の第１の印刷方法は、
ヘッドから媒体に液体を吐出することにより該媒体に画像を印刷する印刷方法であって、
前記ヘッドと前記媒体との接触を防止するために、前記媒体の余白量を拡大して印刷を実行する
ことを要旨とする。
【００１９】
この本発明の第１の印刷方法によれば、ヘッドと媒体との接触を防止するために媒体の余白量を拡大して印刷を実行するから、吐出された液体により媒体が膨潤するのを効果的に抑制することができ、ヘッドと媒体との接触を防止することができる。
【００２０】
本発明の第２の印刷方法は、
ヘッドから媒体に液体を吐出することにより該媒体に画像を印刷する印刷方法であって、
ユーザー選択により余白量を設定し、
前記ヘッドと前記媒体との間隔を第１の間隔とすると共に前記設定した余白量に基づき印刷を実行する第１の印刷モードと、前記ヘッドと前記媒体との間隔を前記第１の間隔よりも広い第２の間隔とすると共に前記設定した余白量よりも拡大した余白量に基づき印刷を実行する第２の印刷モードとを含む複数の印刷モードのいずれかを選択し、
該選択した印刷モードにより印刷を実行する
ことを要旨とする。
【００２１】
この本発明の第２の印刷方法によれば、ユーザー選択により余白量を設定し、ヘッドと媒体との間隔を第１の間隔とすると共に設定された余白量に基づき印刷を実行する第１の印刷モードと、ヘッドと媒体との間隔を第１の間隔よりも広い第２の間隔とすると共に設定された余白量よりも拡大した余白量に基づき印刷を実行する第２の印刷モードとを含む複数の印刷モードのいずれかを選択し、選択した印刷モードにより印刷が実行されるよう印刷機構を制御する。これにより、第１の印刷モードと第２の印刷モードを含む複数の印刷モードを選択して実行することにより、余白量を適正化して、吐出された液体により媒体が膨潤するのを抑制することができる。この結果、ヘッドと媒体との接触を防止することができる。特に、第２の印刷モードでは、媒体の余白量の拡大と併せてヘッドと媒体との間隔を広げることにより、ヘッドと媒体との接触をより確実に防止することができる。
【図面の簡単な説明】
【００２２】
【図１】本実施形態のプリンター２０の外観図。
【図２】本実施形態のプリンター２０の概略構成図。
【図３】印刷ヘッド５５の電気的接続を示す説明図。
【図４】プラテンギャップ調整機構７０の概略構成図。
【図５】印刷設定メニュー画面の一例を示す説明図。
【図６】こすれ回避設定処理の一例を示すフローチャート。
【図７】こすれ回避設定画面の一例を示す説明図。
【図８】フチなし設定処理の一例を示すフローチャート。
【図９】フチなし設定用の第１設定画面の一例を示す説明図。
【図１０】はみ出し量設定画面の一例を示す説明図。
【図１１】フチなし設定用の第２設定画面の一例を示す説明図。
【図１２】印刷処理の一例を示すフローチャート。
【図１３】余白量と印刷Ｄｕｔｙと用紙こすれ発生確率との関係を示す説明図。
【発明を実施するための形態】
【００２３】
次に、本発明の実施の形態を図面を用いて説明する。図１は本発明の一実施形態であるプリンター２０の外観を示す外観図、図２は本実施形態のプリンター２０の構成の概略を示す構成図、図３は印刷ヘッド５５の電気的接続を表す説明図、図４はプラテンギャップ調整機構７０の構成の概略を示す構成図である。
【００２４】
本実施形態のプリンター２０は、図示するように、給紙トレイ２１から搬送された用紙Ｐに印刷データに基づいてシアン（Ｃ），マゼンタ（Ｍ），イエロー（Ｙ），ブラック（Ｋ）のＣＭＹＫの各色のインクを吐出することにより印刷を実行して排紙トレイ２２に排紙するインクジェット式のプリンターとして構成されており、印刷を実行するプリンターユニット２６と、メモリーカードスロット２３に挿入されたメモリーカードＭＣとの間でデータを格納したファイルの読み書きを行なうカードコントローラー２４と、コンピューター１０とＵＳＢケーブル１２を介して通信を行なうためのＵＳＢコントローラー２８と、メニュー画面や印刷設定画面などを表示部３７に表示したり各種印刷設定に関する指示や印刷開始の指示などをユーザーによるボタン類３８の操作を介して入力したりする操作パネル３６と、プリンター全体の制御を司るメインコントローラー３０とを備える。このプリンター２０は、プリンターユニット２６やメモリーカードコントローラー２４，ＵＳＢコントローラー２８，メインコントローラー３０がバス２９を介して互いに各種制御信号やデータのやり取りをすることができるよう構成されている。
【００２５】
メモリーカードコントローラー２４は、メモリーカードスロット２３に挿入されたメモリーカードＭＣとの間でデータの入出力を行うものである。このメモリーカードコントローラー２４は、メモリーカードスロット２３にメモリーカードＭＣが挿入されているときに、メモリーカードＭＣに保存されている画像データを読み出してメインコントローラー３０に送信したり、メインコントローラー３０からの命令を入力しその命令に基づいてメモリーカードＭＣにデータを書き込んだりする。
【００２６】
プリンターユニット２６は、プリンターエンジン２６ａと、プリンターエンジン２６ａを制御するプリンターＡＳＩＣ２６ｂとを備える。プリンターエンジン２６ａは、図２に示すように、搬送モーター４８による搬送ローラー４４の駆動により用紙Ｐを図中奥から手前に搬送する紙送り機構４１と、紙送り機構４１によりプラテン５０上に搬送された用紙Ｐに印刷ヘッド５５からインク滴を吐出して印刷を行なうヘッド駆動機構５１と、印刷ヘッド５５のノズル６３とプラテン５０上面との距離（以下、プラテンギャップＰＧと呼ぶ）を調整するプラテンギャップ調整機構７０（図４参照）とを備える。
【００２７】
ヘッド駆動機構５１は、メカフレーム８０の右側に配置されたキャリッジモーター５７ａと、メカフレーム８０の左側に配置された従動ローラー５７ｂと、キャリッジモーター５７ａと従動ローラー５７ｂとに架設されたキャリッジベルト５４と、キャリッジモーター５７ａの駆動に伴ってキャリッジベルト５４によりガイド５３に沿って左右に往復動するキャリッジ５２と、このキャリッジ５２に搭載され溶媒としての水に着色剤としての染料または顔料を含有したイエロー（Ｙ）、マゼンタ（Ｍ）、シアン（Ｃ）及びブラック（Ｋ）の各色のインクを個別に収容したインクカートリッジ５６と、インクカートリッジ５６からインクの供給を受けてインク滴を吐出する印刷ヘッド５５とを備える。なお、メカフレーム８０にはキャリッジ５２の移動方向に沿って光学スケール５９ａが、キャリッジ５２の裏面には光学スケール５９ａに対向するよう発光素子（例えば、発光ダイオードなど）と受光素子（例えば、フォトトランジスタなど）とからなる光学センサー５９ｂがそれぞれ取り付けられており、光学センサー５９ｂの発光素子から光学スケール５９ａに向けて発光した光を受光素子で受光することにより、キャリッジ５２の左右方向（主走査方向）におけるポジションを検出できるようになっている。
【００２８】
印刷ヘッド５５は、図３に示すように、シアン（Ｃ），マゼンタ（Ｍ），イエロー（Ｙ），ブラック（Ｋ）のノズル６３Ｃ，６３Ｍ，６３Ｙ，６３Ｋが各色毎に複数個（本実施形態では、１８０個）ずつ１列に配置された４列のノズル列６２Ｃ，６２Ｍ，６２Ｙ，６２Ｋが形成されたステンレス製のノズルプレート６１と、このノズルプレート６１と共にノズル６３に連通するインク室６５を形成するキャビティープレート６４と、インク室６５の上壁をなすセラミック製（例えばジルコニアセラミック製）の振動板６７と、この振動板６７の上面に貼り付けられた圧電素子６６（例えば、チタン酸ジルコン酸鉛など）と、圧電素子６６に駆動信号を出力する駆動回路としてのマスク回路６８とを備える。この印刷ヘッド５５では、マスク回路６８から圧電素子６６に電圧を印加して、圧電素子６６でインク室６５の上壁を押し下げることにより、インクを加圧しノズル６３からインク滴を吐出する。ここで、ノズル６３Ｃ，６３Ｍ，６３Ｙ，６３Ｋのすべてをノズル６３と総称し、ノズル列６２Ｃ，６２Ｍ，６２Ｙ，６２Ｋのすべてをノズル列６２と総称する。以下、印刷ヘッド５５の駆動についてブラック（Ｋ）用のノズル６３Ｋを用いて説明する。
【００２９】
マスク回路６８は、原信号生成回路６９により生成された原信号ＯＤＲＶと印刷信号ＰＲＴｎとを入力すると共に入力した原信号ＯＤＲＶと印刷信号ＰＲＴｎとに基づいて駆動信号ＤＲＶｎを生成して圧電素子６６に出力する。なお、印刷信号ＰＲＴｎの末尾のｎや駆動信号ＤＲＶｎの末尾のｎは、ノズル列に含まれるノズルを特定するための番号であり、本実施形態では、ノズル列は１８０個のノズルにより構成したから、ｎは１から１８０のいずれかの整数値となる。原信号生成回路６９は、原信号ＯＤＲＶとして１画素分の区間内（キャリッジ５２が１画素の区間を横切る時間内）において第１のパルスＰ１と第２のパルスＰ２と第３のパルスＰ３の３つのパルスを繰り返し単位とした信号をマスク回路６８に出力し、原信号ＯＤＲＶを入力したマスク回路６８は、別途入力した印刷信号ＰＲＴｎに基づいて原信号ＯＤＲＶに含まれる３つのパルスのうち不要なパルスをマスクすることにより必要なパルスのみを駆動信号ＤＲＶｎとしてノズル６３Ｋの圧電素子６６に出力する。このとき、駆動信号ＤＲＶｎとして第１パルスＰ１のみが圧電素子６６に出力されると、ノズル６３Ｋから１ショットのインク滴が吐出されて用紙Ｐには小さいサイズのドット（小ドット）が形成され、第１パルスＰ１と第２パルスＰ２とが圧電素子６６に出力されると、ノズル６３Ｋから２ショットのインク滴が吐出されて用紙Ｐには中サイズのドット（中ドット）が形成され、第１パルスＰ１と第２パルスＰ２と第３パルスＰ３とが圧電素子６６に出力されると、ノズル６３Ｋから３ショットのインク滴が吐出されて用紙Ｐには大きいサイズのドット（大ドット）が形成される。このように、プリンター２０では、一画素区間において吐出されるインク量を調整することにより３種類のサイズのドットを形成することができる。なお、ブラック（Ｋ）以外の他の色のノズル６３Ｃ，２３Ｍ，２３Ｙやノズル列６２Ｃ，４３Ｍ，４３Ｙについても上記ノズル６３Ｋやノズル列６２Ｋと同様である。
【００３０】
紙送り機構４１は、用紙Ｐの供給端である給紙トレイ２１にセットされた用紙Ｐを給紙する給紙ローラー（図示せず）と、給紙ローラーにより給紙された用紙Ｐを印刷ヘッド５５に対向するプラテン５０上に搬送する搬送ローラー４４と、用紙Ｐを排出端である排紙トレイ２２に排紙する排紙ローラー４６と、給紙ローラーや搬送ローラー４４，排紙ローラー４６を回転駆動する搬送モーター４８とを備える。搬送ローラー４４および排紙ローラー４６は、それぞれ図示しない従動ローラーが当接されており、用紙Ｐをローラー間に挟み込んだ状態で搬送する。搬送モーター４８は、その回転軸に回転角を検出する回転角センサー４９が取り付けられており、回転角センサー４９からの回転角に基づいて駆動制御される。なお、駆動制御は、搬送ローラー４４等のいずれかのローラーの回転量に基づいて行なってもよい。
【００３１】
プラテンギャップ調整機構７０は、図４に示すように、キャリッジ５２のガイド５３の下方にガイド５３と並行に配置された回転自在のシャフト７２と、カム面がガイド５３に当接するようシャフト７２の両端に各々取り付けられたカム７４と、シャフト７２の一端に取り付けられた減速ギヤ７５と、回転軸７８ａに減速ギヤ７５と噛合するギヤ７６が取り付けられたギャップ調整用モーター７８とを備える。メカフレーム８０には、ガイド５３が上下方向のみ移動が許容されるよう縦長の貫通孔８０ａが形成されており、モーター７８の駆動によりシャフト７２の回転に伴ってカム７４が回転すると、その回転角に応じてガイド５３と当接するカム面とカム７４の回転軸との距離が変化することにより、貫通孔８０ａに沿ってガイド５３が上下方向に移動して、印刷ヘッド５５（ノズル６３）とプラテン５０との距離すなわちプラテンギャップが調整される。
【００３２】
操作パネル３６は、文字や図形、記号などを表示する表示部３７と、この表示部３７の周囲に配置されたボタン類３８とを備える。ボタン類３８は、図示しないが、電源のオンオフを行なうための電源ボタンや、印刷実行を指示するための印刷ボタン、印刷設定画面を呼び出すための設定ボタン、表示部３７に表示された複数の選択肢の中から所望の選択肢を選択するための上下左右の各矢印ボタン、選択を確定するためのＯＫボタン、設定をキャンセルするためのキャンセルボタンなどにより構成されている。
【００３３】
メインコントローラー３０は、図１に示すように、ＣＰＵ３１を中心とするマイクロプロセッサとして構成されており、各種処理プログラムを記憶したＲＯＭ３２と、一時的にデータを記憶したりデータを保存したりするＲＡＭ３３と、データを書き込み消去可能なフラッシュメモリー３４と、インターフェース（Ｉ／Ｆ）３５とを備えている。このメインコントローラー３０には、メモリーカードスロット２３に挿入されているメモリーカードＭＣから画像ファイルをメモリーカードコントローラー２４を介して入力し、コンピューター１０からの受信データをＵＳＢコントローラー２８を介して入力し、操作パネル３６のボタン類３８からの指令信号をＩ／Ｆ３５を介して入力し、プリンターエンジン２６ａの駆動状態を検出する各種センサー（例えば、キャリッジ５２のポジションを検出する光学センサー５９ｂや搬送モーター４８の回転角を検出する回転角センサー４９など）からの検出信号をプリンターＡＳＩＣ２６ｂを介して入力している。また、メインコントローラー３０からは、コンピューター１０へ送信する送信データをＵＳＢデバイスコントローラー２８に出力し、操作パネル３６の表示部３７への制御信号をＩ／Ｆ３５を介して出力し、プリンターエンジン２６ａの駆動指令をプリンターＡＳＩＣ２６ｂに出力している。また、ＲＡＭ３３には印刷バッファー領域が設けられており、コンピューター１０からＵＳＢコントローラー２８を介して送られてきた印刷データは、印刷バッファー領域に記憶されるようになっている。
【００３４】
こうして構成された本実施形態のプリンター２０では、設定ボタンが押されると、印刷設定画面を表示して各種項目の選択を受け付ける。図５（ａ），（ｂ）に印刷設定画面の一例を示す。印刷設定画面は、本実施形態では、図示するように、用紙Ｐのサイズ（例えば、Ａ４やＢ５，Ｌ判，ハガキなど）を選択するための「用紙サイズ設定」や用紙Ｐの種類（例えば、普通紙や光沢紙など）を選択するための「用紙種類設定」、フチなし印刷を実行するか否かを選択するための「フチなし設定」、印刷品位（例えば、きれいや標準、速いなど）を選択するための「印刷品位設定」、印刷する画像のトリミングを行なうための「トリミング設定」、双方向印刷を実行するか単方向印刷を実行するかを選択するための「双方向印刷設定」、印刷する画像の自動画質補正を行なうか否かを選択するための「自動画質補正設定」、印刷時の用紙Ｐと印刷ヘッド５５とのこすれを回避するための「こすれ回避設定」などの項目が設けられている。ユーザーは、これらの項目のいずれかを上下ボタンにより選択し、ＯＫボタンを押すことにより、選択した項目の設定を変更することができる。ここで、本実施形態では、「用紙サイズ設定」のデフォルト設定は「Ａ４」であり、「用紙種類設定」のデフォルト設定は「普通紙」であり、「フチなし設定」のデフォルト設定は「フチあり」であり、「印刷品位設定」のデフォルト設定は「標準」であり、「トリミング設定」のデフォルト設定は「しない」であり、「双方向印刷設定」のデフォルト設定は「双方向印刷」であり、「自動画質補正設定」のデフォルト設定は「しない」であり、「こすれ回避設定」のデフォルト設定は「しない」である。なお、本実施形態では、印刷設定画面は、一画面中に最大５つの設定項目が表示されるようになっており、一番下の設定項目を選択している状態で下ボタンを押すと次の設定項目を表示させることができ、一番上の設定項目を選択している状態で上ボタンを押すと前の設定項目を表示させることができる。以下、印刷設定画面で「こすれ回避設定」が選択された場合と「フチなし設定」が選択された場合についてさらに詳細に説明する。
【００３５】
印刷設定画面でユーザーにより「こすれ回避設定」が選択されると、こすれ回避設定処理が実行される。図６は、メインコントローラー３０のＣＰＵ３１により実行されるこすれ回避設定処理の一例を示すフローチャートである。こすれ回避設定処理が実行されると、メインコントローラー３０のＣＰＵ３１は、まず、こすれ回避設定画面を表示し（ステップＳ１００）、ユーザー選択を待つ（ステップＳ１１０）。図７に、こすれ回避設定画面の一例を示す。こすれ回避設定画面は、図示するように、こすれ回避を行なわない「しない」と、通常のこすれ回避を行なう「こすれ回避弱」と、強力なこすれ回避を行なう「こすれ回避強」とが用意されており、ユーザーは３つの選択肢のいずれかを上下ボタンにより選択し、ＯＫボタンを押すことにより決定することができる。ユーザーにより３つの選択肢のいずれかが選択されると、選択された選択肢が「こすれ回避弱」であるか否か（ステップＳ１２０）、「こすれ回避強」であるか否か（ステップＳ１３０）、をそれぞれ判定する。選択された選択肢が「こすれ回避弱」でもなく「こすれ回避強」でもないと判定、即ち「しない」が選択されたと判定すると、「こすれ回避設定」をこすれ回避なしに決定して（ステップＳ１４０）、こすれ回避設定処理を終了する。一方、「こすれ回避弱」が選択されたと判定すると、「こすれ回避設定」をこすれ回避弱に決定して（ステップＳ１５０）、こすれ回避設定処理を終了する。また、「こすれ回避強」が選択されたと判定すると、「こすれ回避設定」をこすれ回避強に決定すると共に（ステップＳ１６０）、図５（ａ）にて図示した印刷設定画面における「フチなし設定」をフチありに決定し（ステップＳ１７０）、図５（ｂ）にて図示した印刷設定画面における「双方向印刷設定」を単方向印刷に決定して（ステップＳ１８０）、こすれ回避設定処理を終了する。即ち、「こすれ回避強」がユーザーにより選択されると、「こすれ回避設定」以外の他の設定項目である「フチなし設定」，「双方向印刷設定」もそれぞれ「フチあり」，「単方向印刷」に強制的に決定するのである。こうする理由については後述する。
【００３６】
また、印刷設定画面でユーザーにより「フチなし設定」が選択されると、フチなし設定処理を実行する。図８は、メインコントローラー３０のＣＰＵ３１により実行されるフチなし設定処理の一例を示すフローチャートである。フチなし設定処理が実行されると、メインコントローラー３０のＣＰＵ３１は、まず、「こすれ回避設定」が「こすれ回避強」であるか否かを判定する（ステップＳ２００）。「こすれ回避設定」が「こすれ回避強」でない、即ち「こすれ回避なし」か「こすれ回避弱」のいずれかであると判定すると、フチなし設定用の第１設定画面を表示し（ステップＳ２１０）、ユーザー選択を待つ（ステップＳ２２０）。図９に第１設定画面の一例を示す。第１設定画面は、図示するように、フチなし印刷を実行する「フチなし」とフチなし印刷を実行しない「フチあり」とが用意されており、ユーザーは２つの選択肢のいずれかを上下ボタンにより選択し、ＯＫボタンを押すことにより決定することができる。また、第１設定画面では、「フチなし」が選択された場合には、さらに、はみ出し量を設定するためのはみ出し量設定画面を呼び出すことができる。図１０に、はみ出し量設定画面の一例を示す。はみ出し量設定画面では、図示するように、左右方向に移動可能なスライダーが設けられ、スライダーが中央に位置する場合を標準とし、スライダーが標準から右へ行くほどはみ出し量が多くなり、スライダーが標準から左へ行くほどはみ出し量が少なくなるように構成されている。ユーザーは、左右ボタンを操作することでスライダーの位置を決定し、ＯＫボタンを押すことによりスライダーの位置に応じたはみ出し量を決定することができる。メインコントローラー３０のＣＰＵ３１は、ユーザーにより決定されたはみ出し量が多くなるほど印刷領域を拡大し、ユーザーにより決定されたはみ出し量が少なくなるほど印刷領域を縮小する。ユーザーにより２つの選択肢のいずれかが選択されると、選択された選択肢が「フチなし」であるか否かを判定し（ステップＳ２３０）、「フチなし」が選択されたと判定すると、「フチなし設定」をフチなしに決定すると共に（ステップＳ２４０）、ユーザーにより指定されたはみ出し量を設定して（ステップＳ２５０）、フチなし設定処理を終了する。一方、「フチあり」が選択されたと判定すると、「フチなし設定」をフチありに決定すると共に（ステップＳ２６０）、ユーザーにより指定された余白量を設定して（ステップＳ２７０）、フチなし設定処理を終了する。なお、「フチなし設定」として「フチあり」が選択された場合も、「フチなし」が選択された場合の「はみ出し量」を「余白量」に置き換えることにより、同様の設定画面を用いて余白量を設定することができる。即ち、メインコントローラー３０のＣＰＵ３１は、ユーザーにより決定された余白量が多くなるほど印刷領域を縮小し、ユーザーにより決定された余白量が少なくなるほど印刷領域を拡大する。
【００３７】
ステップＳ２００で「こすれ回避設定」が「こすれ回避強」であると判定すると、フチなし設定用の第２設定画面を表示して（ステップＳ２８０）、フチなし設定処理を終了する。図１１に第２設定画面の一例を示す。第２設定画面は、図示するように、「フチあり」の選択肢だけが用意され、「こすれ回避強」が選択されているため「フチなし」を選択できない旨の警告メッセージも併せて表示される。これは、「こすれ回避強」が設定されると、「フチなし設定」も強制的にフチありに決定されることに基づく。これにより、ユーザーは、「フチなし」を選択できないこととその理由を事前に知ることができるため、「こすれ回避設定」を変更するか、「フチあり」のまま印刷を続行するかを選択することができる。
【００３８】
次に、こうして設定された印刷設定に従って実行される印刷処理について説明する。図１２は、メインコントローラー３０により実行される印刷処理ルーチンの一例を示すフローチャートである。この処理は、ユーザーにより印刷すべき画像の選択と印刷設定とが行なわれた後、印刷の開始が指示されたときに実行される。
【００３９】
印刷処理が実行されると、メインコントローラー３０のＣＰＵ３１は、まず、印刷設定を入力する（ステップＳ３００）。印刷設定を入力すると、入力した印刷設定に含まれる用紙種類に基づいてプラテンギャップＰＧを調整する（ステップＳ３１０）。ステップＳ３１０の処理は、具体的には、用紙種類が普通紙の場合には光沢紙に比してプラテンギャップＰＧが大きくなるようにギャップ調整用モーター７８を駆動制御することにより行なう。例えば、普通紙の場合には２．０ｍｍに、光沢紙の場合には１．５ｍｍに設定する。続いて、入力された印刷設定に含まれるフチなし設定に基づいて印刷対象の画像データを調整する（ステップＳ３２０）。ステップＳ３２０の処理は、具体的には、フチなしが選択された場合には、印刷設定に含まれる用紙サイズにより規定される用紙領域とユーザーにより指定されたはみ出し量により規定されるはみ出し領域とを含めた領域が印刷領域となるように画像データを調整することにより行なわれる。また、フチありが選択された場合には、印刷設定に含まれる用紙サイズにより規定される用紙領域からユーザーにより指定された余白量により規定される余白領域を除いた領域が印刷領域となるように画像データを調整することにより行なわれる。
【００４０】
次に、入力した印刷設定に含まれる「こすれ回避設定」が「こすれ回避なし」と「こすれ回避弱」と「こすれ回避強」のうちいずれであるかを判定する（ステップＳ３３０）。「こすれ回避設定」が「こすれ回避なし」である場合には、入力した印刷設定に含まれる「双方向印刷設定」が「双方向印刷」であるか否かを判定し（ステップＳ３５０）、肯定的な判定がなされると、双方向印刷により印刷を実行し（ステップＳ３６０）、否定的な判定がなされると、単方向印刷により印刷を実行して（ステップＳ３７０）、印刷処理を終了する。
【００４１】
ステップＳ３３０で「こすれ回避設定」が「こすれ回避弱」であると判定すると、ステップＳ３１０で調整したプラテンギャップＰＧの値に拘わらず、プラテンギャップＰＧが第１の間隔ＰＧ１に広がるようギャップ調整用モーター７８を駆動制御し（ステップＳ３４０）、ステップＳ３５０〜Ｓ３７０の処理を実行して、印刷処理を終了する。ここで、第１の間隔ＰＧ１は、インクの吐出により用紙Ｐが多少膨潤しても、用紙Ｐと印刷ヘッド５５との接触を抑制することが可能な間隔として定められており、例えば、２．５ｍｍなどのように設定することができる。なお、用紙種類に拘わらずプラテンギャップＰＧを広げるのは、印刷ヘッド５５（ヘッド）と用紙（媒体）との接触をより確実に防止するためである。
【００４２】
ステップＳ３３０で「こすれ回避設定」が「こすれ回避強」であると判定すると、ステップＳ３１０で調整したプラテンギャップＰＧの値に拘わらず、プラテンギャップＰＧが第２の間隔ＰＧ２に広がるようギャップ調整用モーター７８を駆動制御する（ステップＳ３８０）。ここで、第２の間隔ＰＧ２は、第１の間隔ＰＧ１よりも広い間隔として定められており、例えば、３．０ｍｍなどのように設定することができる。そして、さらに、通常のフチあり印刷時によりも用紙Ｐの余白量を拡大させると共に（ステップＳ３９０）、印刷Ｄｕｔｙを低減させる（ステップＳ４００）。余白量の拡大は、印刷設定に含まれる用紙サイズにより規定される用紙領域から余白領域を除いた領域が印刷領域となるように、画像データを縮小することにより行なわれる。なお、余白量の拡大は、用紙領域に対して上下左右端の余白を均等に拡大するものとしてもよいし、上下端の余白のみを拡大するものとしてもよい。また、印刷Ｄｕｔｙは、用紙Ｐの単位面積当たりにインク吐出が行なわれうるインク滴の総重量を意味し、印刷Ｄｕｔｙの低減は、例えば、マスク回路６８で印刷データに対応してノズル６３から吐出するインク滴のショット数もしくは１ショット当たりのインク滴の重量を調整することにより行なわれる。また、用紙Ｐに対して行なわれるインク吐出は、印刷データに基づいて行なわれるが、印刷Ｄｕｔｙを低減させる場合には、少なくとも用紙Ｐに対するインク滴の総重量の上限値が少なくなっていればよい。即ち、用紙Ｐに対して最もインク滴がたくさん吐出されるようにした印刷データに基づいてインク吐出が行なわれる場合に、そのインク滴の総重量が減っていればよい。
【００４３】
ここで、余白量と印刷Ｄｕｔｙの設定は、本実施形態では、「印刷品位」や印刷パス数、印刷解像度等の複数のパラメーターに応じて用紙Ｐと印刷ヘッド５５との接触（用紙こすれ）を防止することのできる最適な組み合わせを予め実験などにより求めてテーブルとしてＲＯＭ３２に記憶しておき、必要なパラメーターが与えられると、対応する余白量と印刷Ｄｕｔｙの組み合せを導出することにより設定するものとした。図１３に、余白量と印刷Ｄｕｔｙとヘッドこすれ発生確率との関係を示す。なお、図１３の例では、用紙種類として普通紙に印刷する場合を示した。「印刷品位」が標準である場合には、図１３（ａ）に示すように、用紙こすれ発生確率が低い余白量（上下端余白）と印刷Ｄｕｔｙとの組み合わせのうち余白量が２５ｍｍで印刷Ｄｕｔｙが７０％の組み合わせが最適と考えることができ、「印刷品位」がきれいである場合には、図１３（ｂ）に示すように、用紙こすれ発生確率が低い余白量（上下端余白）と印刷Ｄｕｔｙとの組み合わせのうち余白量が２５ｍｍで印刷Ｄｕｔｙが１００％の組み合わせが最適と考えることができる。このようにして、パラメーター毎の最適な余白量と印刷Ｄｕｔｙの組み合せを求めることができる。なお、いずれの場合も、余白が拡大されないことよりも、印刷Ｄｕｔｙの低減が行なわれないことの方が、印刷品位の観点から良いとして考える場合である。
【００４４】
こうして余白の拡大と印刷Ｄｕｔｙの低減とを行なうと、確認画面を表示し（ステップＳ４１０）、ユーザー操作を待つ（ステップＳ４２０）。なお、確認画面の表示は、図示しないが、例えば「通常よりも用紙の余白が拡大されて印刷されます。よろしければＯＫボタンを押してください。印刷設定を再設定するにはキャンセルボタンを押してください。」等の警告メッセージを表示することにより行なうことができる。ＯＫボタンが押されると、単方向印刷により印刷を実行して（ステップＳ３７０）、印刷処理を終了する。ここで、「こすれ回避強」が選択された場合にユーザー選択に拘わらず単方向印刷により印刷を実行するのは、「こすれ回避強」ではプラテンギャップＰＧが第２の間隔ＰＧ２に広げられるから、双方向印刷により印刷を実行すると、印刷画質が劣化する可能性が高いことに基づく。一方、ＯＫボタンではなく、キャンセルボタンが押されると、印刷設定の再設定を行ない（ステップＳ４３０）、ステップＳ３１０に戻って再設定された印刷設定に従ってステップＳ３１０〜Ｓ４２０の処理を繰り返して、印刷処理を終了する。
【００４５】
ここで、本実施形態の構成要素と本発明の構成要素との対応関係を明らかにする。本実施形態の印刷ヘッド５５が本発明の「ヘッド」に相当し、プリンターエンジン２６ａおよびプリンターＡＳＩＣ２６ｂが「印刷機構」に相当する。また、メインコントローラー３０を含む装置が「印刷制御装置」に相当し、例えばプリンター２０も印刷制御装置に相当し得る。また、プラテンギャップ調整機構７０が「間隔調整手段」に相当する。また、図６のこすれ回避設定処理を実行するメインコントローラー３０のＣＰＵ３１が「余白拡大印刷選択手段」に相当し、図８のフチなし設定処理を実行するメインコントローラー３０のＣＰＵ３１が「縁なし印刷選択手段」に相当する。また、余白量を拡大させるステップＳ３９０の処理を実行するメインコントローラー３０のＣＰＵ３１が「余白拡大量設定手段」に相当する。また、キャリッジ５２およびキャリッジモーター５７ａが「移動手段」に相当する。また、フチなし設定処理のステップＳ２５０，Ｓ２７０の処理を実行するメインコントローラー３０のＣＰＵ３１が「余白量設定手段」に相当する。また、Ｉ／Ｆ３５を介して操作パネル３６の表示部３７へ制御信号を出力したりＵＳＢデバイスコントローラー２８を介してコンピューター１０へ送信データを送信したりするメインコントローラー３０のＣＰＵ３１が「報知手段」に相当する。なお、本実施形態では、プリンター２０の動作を説明することにより本発明の印刷方法の一例も明らかにしている。
【００４６】
以上説明した本実施形態のプリンター２０によれば、用紙Ｐの余白量を拡大して印刷を実行することにより、インクが吐出された用紙Ｐが膨潤するのを抑制することができ、用紙Ｐと印刷ヘッド５５との接触（用紙こすれ）を防止することができる。しかも、余白量を拡大した印刷を実行する場合、余白量の拡大と併せて印刷ヘッド５５とプラテン５０との間隔（プラテンギャップ）も広げるから、用紙こすれをより効果的に防止することができる。また、余白量の拡大に併せて印刷Ｄｕｔｙも低減させるから、用紙こすれを防止する効果をより一層高めることができる。この場合、印刷品位などの各種パラメーターと余白量および印刷Ｄｕｔｙの組み合わせとの関係を予め求めてテーブルとして記憶しておき、必要なパラメーターが与えられると、テーブルから対応する余白量および印刷Ｄｕｔｙの組み合わせを導出することにより余白量と印刷Ｄｕｔｙとを設定するから、余白量と印刷Ｄｕｔｙとを個別に設定するものに比して、用紙こすれを一層効果的に防止することができる。
【００４７】
また、本実施形態のプリンター２０によれば、用紙Ｐの余白量を拡大して印刷を実行する場合（「こすれ回避設定」で「こすれ回避強」が選択された場合）には、「フチなし設定」で「フチなし」を選択できないようにすると共にその理由を表示するから、ユーザーは、「こすれ回避設定」を変更するか、「フチあり」のまま印刷を続行するかを自由に選択することができる。
【００４８】
さらに、本実施形態のプリンター２０によれば、用紙Ｐの余白量を拡大して印刷を実行する場合、単方向印刷により印刷を実行するから、双方向印刷により印刷を実行する場合に比して、印刷画質が劣化するのを抑制することができる。
【００４９】
また、本実施形態のプリンター２０によれば、用紙Ｐの余白量を拡大した印刷を実行する場合、印刷の実行に先立って確認画面を表示するから、ユーザーが予期しない印刷結果が生じるのを防止することができる。
【００５０】
また、本実施形態のプリンター２０によれば、「こすれ回避設定」のデフォルト設定を「しない」としているから、やむにやまれぬ場合にユーザー自らが「こすれ回避強」を選択して余白を拡大して印刷を実行することができる。
【００５１】
なお、本発明は上述した実施形態に何ら限定されることはなく、本発明の技術的範囲に属する限り種々の態様で実施し得ることはいうまでもない。
【００５２】
例えば、上述した実施形態では、「こすれ回避設定」に「こすれ回避強」が選択された場合に用紙Ｐの余白量を拡大して印刷を実行するものとしたが、これに限定されるものではない。例えば、用紙Ｐの繊維方向が搬送方向に直交する横目紙が給紙トレイ２１にセットされている場合には余白量を拡大して印刷を実行し、用紙Ｐの繊維方向が搬送方向と一致する縦目紙が給紙トレイ２１にセットされている場合には余白量を拡大せずに印刷を実行するものとしてもよい。用紙Ｐは吐出されたインクによって吸湿すると、繊維方向に平行な方向よりも垂直な方向にカールする。搬送ローラー４４は用紙Ｐの搬送方向に対して直交する方向に配置されているため、縦目紙の場合には、インクを吸湿しても搬送ローラー４４によって浮き上がりが抑制され易い。一方、横目紙の場合には、搬送ローラー４４の配置の方向とカールの方向とが一致するため、縦目紙に比べて、搬送ローラー４４によって浮き上がりを抑制することは困難である。したがって、横目紙が給紙トレイ２１にセットされている場合には余白量を拡大した印刷を実行することにより、用紙Ｐと印刷ヘッド５５とが接触するのを効果的に抑制することができる。また、用紙Ｐが横方向にセットされている場合に余白量を拡大して印刷を実行し、用紙Ｐが縦方向にセットされている場合に余白量を拡大せずに印刷を実行するものとしてもよい。給紙トレイ２１にセットされた用紙Ｐが横目紙であるか縦目紙であるかの判定や、給紙トレイ２１に対して用紙Ｐが横方向にセットされたか縦方向にセットされたかの判定は、ユーザーに選択させるものとしてもよいし、別途センサーを用いて用紙Ｐの状態を検知することにより行なうものとしてもよい。
【００５３】
上述した実施形態では、余白量の拡大と併せて、印刷Ｄｕｔｙの低減するものとしたが、これに限定されるものではなく、印刷Ｄｕｔｙの低減は行なわないものとしてもよい。この場合、画像データに基づき生成される印刷データからドット数をカウントすることにより実際の印刷Ｄｕｔｙを計算し、算出した印刷Ｄｕｔｙに基づいて余白量を設定するものとしてもよい。この場合、印刷Ｄｕｔｙと印刷品位などの複数のパラメーターに基づいて余白量を設定することもできる。
【００５４】
上述した実施形態では、画像データを縮小することにより用紙Ｐの余白量を拡大するものとしたが、これに限定されるものではなく、画像データのうち余白領域をトリミングすることにより用紙Ｐの余白量を拡大するものとしてもよい。
【００５５】
上述した実施形態では、余白量を拡大した印刷を実行する場合、プラテンギャップＰＧを第２の間隔ＰＧ２に広げるものとしたが、これに限定されるものではなく、プラテンギャップＰＧを第１の間隔ＰＧ１に広げるものとしてもよいし、プラテンギャップＰＧを広げないものとしてもよい。
【００５６】
上述した実施形態では、「こすれ回避設定」に「こすれ回避強」が選択された場合に「双方向印刷設定」を単方向印刷に決定するものとしたが（ステップＳ１８０）、これに限定されるものではない。例えば、「こすれ回避設定」に「こすれ回避弱」が選択された場合にも、単方向印刷に決定するものとしてもよい。この場合、プラテンギャップＰＧが第１の間隔ＰＧ１に広げられるとしても、単方向印刷により印刷を実行することで、印刷画質が劣化する可能性を低減させることができる。
【００５７】
上述した実施形態では、用紙Ｐの余白量を拡大して印刷を実行する場合、印刷の実行に先立って確認画面を表示するものとし、ユーザーの指示により印刷設定を再設定できるように構成するものとしたが、これに限定されるものではなく、単に余白量を拡大して印刷する旨をユーザーに報知するものとしてもよい。また、上述の報知を行なうことなく余白量を拡大した印刷を実行するものとしても構わない。
【００５８】
上述した実施形態では、用紙Ｐの余白量を拡大する処理（画像データを縮小する処理）を、メインコントローラー３０を含むプリンター２０で実行するものとしたが、これに限定されるものではなく、余白量を拡大する処理をコンピューター１０にインストールされたプリンタードライバーで実行するものとし、コンピューター１０から送信された処理後の画像データをプリンター２０が受信することにより印刷を実行するものとしてもよい。この場合、当該プリンタードライバーを機能させるコンピューター１０が印刷制御装置となる。
【００５９】
上述した実施形態では、余白が拡大されないことよりも、印刷Ｄｕｔｙの低減が行なわれないことの方が、印刷品位の観点から良いとして、「印刷品位」が標準である場合には、図１３（ａ）のうち、余白量が２５ｍｍで印刷Ｄｕｔｙが７０％の組み合わせを設定し、「印刷品位」がきれいである場合には、図１３（ｂ）のうち、余白量が２５ｍｍで印刷Ｄｕｔｙが１００％の組み合わせを設定したが、これ以外の組み合わせを設定してもよい。例えば、印刷Ｄｕｔｙの低減が行なわれないことよりも、余白が拡大されないことの方が好ましいと考えるのであれば、「印刷品位」が標準である場合には、図１３（ａ）のうち、余白量が５ｍｍで印刷Ｄｕｔｙが５０％の組み合わせを設定し、「印刷品位」がきれいである場合には、図１３（ｂ）のうち、余白量が１５ｍｍで印刷Ｄｕｔｙが８０％の組み合わせを設定してもよい。また、余白量と印刷Ｄｕｔｙとの組み合わせはこれらの組み合わせ以外でもよいし、余白量と印刷Ｄｕｔｙとのいずれを優先的に定めるかをユーザーに設定させてもよい。
【００６０】
上述した実施形態では、印刷ヘッド５５は、圧電素子６６に電圧を印加し、この圧電素子６６を変形させてインクを加圧する方式としたが、発熱抵抗体（例えばヒータなど）に電圧をかけインクを加熱して発生した気泡によりインクを加圧する方式を採用してもよい。また、上述した実施形態では、往復動するキャリッジ５２にインクカートリッジ５６を搭載するいわゆるオンキャリッジの構成としたが、インクカートリッジがメカフレーム８０に装着されインクカートリッジからチューブを介して印刷ヘッドへインクを供給するいわゆるオフキャリッジの構成としてもよい。
【００６１】
上述した実施形態では、プリンター２０を、用紙Ｐの搬送方向に対して直交する方向に印刷ヘッドが往復動するいわゆるシリアル方式のインクジェットプリンターとしたが、これに限定されるものではなく、用紙Ｐが固定され且つ印刷ヘッドが用紙Ｐの縦幅（Ｘ方向）全域と横幅（Ｙ方向）全域とをカバーするようＸＹ方向に移動するプリンターとしてもよいし、印刷ヘッドが往復動することなく固定され且つ印刷ヘッドに紙幅全域をカバーするようノズルがライン状に形成されたいわゆるライン型のインクジェットプリンターとしてもよい。なお、ライン型のインクジェットプリンターとした場合には、印刷ヘッドが往復動しないため、双方向印刷や単方向印刷による印刷については行なうことができないが、余白量の拡大や印刷Ｄｕｔｙの低減、プラテンギャップＰＧの拡大等については行なうことができる。
【符号の説明】
【００６２】
１０  コンピューター、１２  ＵＳＢケーブル、２０  プリンター、２１  給紙トレイ、２２  排紙トレイ、２３  メモリーカードスロット、２４  メモリーカードコントローラー、２６  プリンターユニット、２６ａ  プリンターエンジン、２６ｂ  プリンターＡＳＩＣ、２８  ＵＳＢコントローラー、３０  メインコントローラー、３１  ＣＰＵ、３２  ＲＯＭ、３３  ＲＡＭ、３４  フラッシュメモリー、３５  インターフェース（Ｉ／Ｆ）、３６  操作パネル、３７  表示部、３８  ボタン類、４１  紙送り機構、４２  給紙ローラー、４４  搬送ローラー、４５  従動ローラー、４６  排紙ローラー、４７  従動ローラー、４８  搬送モーター、４９  回転角センサー、５０  プラテン、５０ａ  リブ、５０ｂ  打ち捨て領域、５１  ヘッド駆動機構、５２  キャリッジ、５３  ガイド、５４  キャリッジベルト、５５  印刷ヘッド、５６  インクカートリッジ、５７ａ  キャリッジモーター、５７ｂ  従動ローラー、５９ａ  光学スケール、５９ｂ  光学センサー、６１  ノズルプレート、６２，６２Ｃ，６２Ｍ，６２Ｙ，６２Ｋ  ノズル列、６３，６３Ｃ，６３Ｍ，６３Ｙ，６３Ｋ  ノズル、６４  キャビティープレート、６５  インク室、６６  圧電素子、６７  振動板、６８  マスク回路、６９  原信号生成回路、７０  プラテンギャップ調整機構、７２  シャフト、７４  カム、７５  減速ギヤ、７６  ギヤ、７８  ギャップ調整用モーター、７８ａ  回転軸、８０  メカフレーム、８０ａ  貫通孔。
【図２】
2014188930.tif 000003
【図３】
2014188930.tif 000004
【図４】
2014188930.tif 000005
【図６】
2014188930.tif 000006
【図７】
2014188930.tif 000007
【図８】
2014188930.tif 000008
【図９】
2014188930.tif 000009
【図１２】
2014188930.tif 000010
【図１３】
2014188930.tif 000011
【図１】
2014188930.tif 000012
【図５】
2014188930.tif 000013
【図１０】
2014188930.tif 000014
【図１１】
2014188930.tif 000015